【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
保健医療情報コントローラであって、
複数のコンテキスト適応ボタン制御であって、前記複数のコンテキスト適応ボタン制御のそれぞれは、デジタル医療画像を視認および操作するための少なくとも１つの機能と関連付けられている、複数のコンテキスト適応ボタン制御
を備え、前記コントローラは、
前記デジタル医療画像の少なくとも１つのコンテキストを、それらの画像タイプを少なくとも検出することによって、決定することと、
前記決定されたコンテキストに基づいて、デジタル医療画像を視認および操作するための前記少なくとも１つの機能を変更することと
を行うように構成される、コントローラ。
【請求項２】
前記少なくとも１つのコンテキストは、患者情報、コントローラ設定、画像概要、ワークフロー情報、乳房トモシンセシス視認モード、乳房２Ｄマンモグラフィ視認モード、乳房磁気共鳴視認モード、乳房超音波視認モード、およびコンピュータ断層撮影視認モードのうちの少なくとも１つを備える、請求項１に記載のコントローラ。
【請求項３】
前記デジタル医療画像の少なくとも１つのコンテキストを決定することは、前記コントローラに接続されるコンピューティングデバイス上で動作する少なくとも１つのコンテキストを決定することを含む、請求項１〜２のいずれかに記載のコントローラ。
【請求項４】
前記デジタル医療画像の少なくとも１つのコンテキストを決定することは、前記コントローラ上で動作する少なくとも１つのコンテキストを決定することを含む、請求項１〜３のいずれかに記載のコントローラ。
【請求項５】
前記コントローラは、前記デジタル医療画像の第１のコンテキストを決定し、前記第１のコンテキストに基づいて、デジタル医療画像を視認および操作するための第１の機能を変更するように構成され、前記コントローラは、前記第１のコンテキストと異なる第２のコンテキストを決定し、前記第２のコンテキストに基づいて、デジタル医療画像を視認および操作するための第２の機能を変更するように構成され、前記第２の機能は、前記第１の機能と異なる、請求項１〜４のいずれかに記載のコントローラ。
【請求項６】
前記少なくとも１つの機能は、１つ以上の画像操作ツール、１つ以上の報告フローツール、１つ以上の注釈ツール、１つ以上の患者ワークフローツール、１つ以上の磁気共鳴画像ツール、１つ以上の超音波画像ツール、１つ以上のナビゲーションツールを備える、請求項１に記載のコントローラ。
【請求項７】
前記デジタル医療画像タイプは、乳房トモシンセシス画像、乳房２Ｄマンモグラフィ画像、乳房磁気共鳴画像、乳房超音波画像、およびコンピュータ断層撮影画像のうちの少なくとも１つを備える、請求項１〜６のいずれかに記載のコントローラ。
【請求項８】
ディスプレイ画面をさらに備え、
前記コントローラは、前記ディスプレイ画面を介して、デジタル医療画像、保健医療情報、コントローラ設定、ワークフロー情報、および仮想ボタンのうちの少なくとも１つを表示するように構成される、請求項１〜７のいずれかに記載のコントローラ。
【請求項９】
前記少なくとも１つの機能は、前記コントローラのディスプレイ画面上に表示される、請求項１〜８のいずれかに記載のコントローラ。
【請求項１０】
前記複数のコンテキスト適応ボタン制御の少なくとも一部は、タッチスクリーン上に表示される、請求項９に記載のコントローラ。
【請求項１１】
複数のプログラマブルボタン制御または複数の組み込まれるボタン制御をさらに備える、請求項１〜１０のいずれかに記載のコントローラ。
【請求項１２】
前記デジタル医療画像のコンテキストを決定することは、前記コントローラに接続されるコンピューティングデバイス上に表示されている前記デジタル医療画像の撮像モダリティを決定することを含む、請求項１〜１１のいずれかに記載のコントローラ。
【請求項１３】
可変直径を備えるスクロールホイールをさらに備える、請求項１〜１２のいずれかに記載のコントローラ。
【請求項１４】
前記デジタル医療画像は、乳房トモシンセシス画像を備え、前記コントローラは、前記少なくとも１つのスクロールホイールのアクティブ化に基づいて、制御信号を提供し、前記コンピューティングデバイスのディスプレイ上の前記乳房トモシンセシス画像のスライスを通してスクロールするように構成される、請求項１３に記載のコントローラ。
【請求項１５】
前記デジタル医療画像は、乳房トモシンセシス画像を備え、前記コントローラは、第１の直径を伴う第１の位置における前記少なくとも１つのスクロールホイールのアクティブ化に基づいて、第１の速度の制御信号を提供し、第２の直径を伴う第２の位置における前記少なくとも１つのスクロールホイールのアクティブ化に基づいて、第２の速度の制御信号を提供し、前記コンピューティングデバイスのディスプレイ上の前記乳房トモシンセシス画像のスライスを通してスクロールするように構成される、請求項１３に記載のコントローラ。
【請求項１６】
前記コントローラの上部部分に配列される物理的スクロールホイールと、
容量タッチスクロールホイールと
をさらに備え、
複数のコンテキスト適応ボタン制御の少なくとも一部は、前記容量タッチスクロールホイールを備える、請求項１〜１５のいずれかに記載のコントローラ。
【請求項１７】
前記複数のボタン制御の少なくとも一部は、少なくとも１つの機能群内に配列される、請求項１〜１６のいずれかに記載の保健医療情報コントローラ。
【請求項１８】
前記少なくとも１つの機能群は、注釈、診断ツール、患者ナビゲーション、グローバル画像ツール、およびタクティカル画像ツールのうちの少なくとも１つを備える、請求項１７に記載の保健医療情報コントローラ。
【請求項１９】
保健医療情報システムであって、
前記請求項１〜２０のいずれかに記載のコントローラによって提供される制御信号を受信するように構成されるコンピューティングデバイスを備える、システム。
【請求項２０】
保健医療情報を操作する方法であって、
保健医療情報コントローラの複数のコンテキスト適応ボタン制御を介して、ユーザ入力を受信することであって、前記複数のコンテキスト適応ボタン制御はそれぞれ、デジタル医療画像を視認および操作するための少なくとも１つの機能と関連付けられている、こと
を含み、
前記コントローラは、
前記デジタル医療画像の少なくとも１つのコンテキストを、それらの画像タイプを少なくとも検出することによって、決定することと、
前記決定されたコンテキストに基づいて、デジタル医療画像を視認および操作するための前記少なくとも１つの機能を変更することと
を行うように構成される、方法。
【手続補正２】
【補正対象書類名】明細書
【補正対象項目名】０００６
【補正方法】変更
【補正の内容】
【０００６】
本実施形態は、ここで、いくつかの例示的実施形態が示される、付随の図面を参照して、より完全に以降で説明されるであろう。しかしながら、本開示の主題は、多くの異なる形態で具現化されてもよく、本明細書に記載される実施形態に対する限定として解釈されるべきではない。むしろ、これらの実施形態は、本開示が、徹底的かつ完全となり、本主題の範囲を当業者に完全に伝達するであろうように提供される。図面では、同様の番号は、全体を通して同様の要素を指す。
本発明は、例えば、以下を提供する。
（項目１）
コントローラであって、
複数のコンテキスト適応ボタン制御であって、前記複数のコンテキスト適応ボタン制御のそれぞれは、デジタル画像を視認および操作するための少なくとも１つの機能と関連付けられている、複数のコンテキスト適応ボタン制御
を備え、前記コントローラは、
デジタル医療画像の少なくとも１つのコンテキストを決定することと、
前記決定されたコンテキストに基づいて、デジタル画像を視認および操作するための前記少なくとも１つの機能を変更することと
を行うように構成される、コントローラ。
（項目２）
前記少なくとも１つのコンテキストは、患者情報、コントローラ設定、画像概要、ワークフロー情報、乳房トモシンセシス視認モード、乳房２Ｄマンモグラフィ視認モード、乳房磁気共鳴視認モード、乳房超音波視認モード、およびコンピュータ断層撮影視認モードのうちの少なくとも１つを備える、項目１に記載のコントローラ。
（項目３）
前記デジタル医療画像の少なくとも１つのコンテキストを決定することは、前記コントローラに接続されるコンピューティングデバイス上で動作する少なくとも１つのコンテキストを決定することを含む、前記項目のいずれかに記載のコントローラ。
（項目４）
前記デジタル医療画像の少なくとも１つのコンテキストを決定することは、前記コントローラ上で動作する少なくとも１つのコンテキストを決定することを含む、前記項目のいずれかに記載のコントローラ。
（項目５）
前記コントローラは、前記デジタル医療画像の第１のコンテキストを決定し、前記第１のコンテキストに基づいて、デジタル画像を視認および操作するための第１の機能を変更するように構成され、前記コントローラは、前記第１のコンテキストと異なる第２のコンテキストを決定し、前記第２のコンテキストに基づいて、デジタル画像を視認および操作するための第２の機能を変更するように構成され、前記第２の機能は、前記第１の機能と異なる、前記項目のいずれかに記載のコントローラ。
（項目６）
前記少なくとも１つの機能は、１つ以上の画像操作ツール、１つ以上の報告フローツール、１つ以上の注釈ツール、１つ以上の患者ワークフローツール、１つ以上の磁気共鳴画像ツール、１つ以上の超音波画像ツール、１つ以上のナビゲーションツールを備える、項目１に記載のコントローラ。
（項目７）
前記デジタル医療画像は、乳房トモシンセシス画像、乳房２Ｄマンモグラフィ画像、乳房磁気共鳴画像、乳房超音波画像、およびコンピュータ断層撮影画像のうちの少なくとも１つを備える、前記項目のいずれかに記載のコントローラ。
（項目８）
ディスプレイ画面をさらに備え、
前記コントローラは、前記ディスプレイ画面を介して、デジタル医療画像、保健医療情報、コントローラ設定、ワークフロー情報、および仮想ボタンのうちの少なくとも１つを表示するように構成される、前記項目のいずれかに記載のコントローラ。
（項目９）
前記少なくとも１つの機能は、前記コントローラのディスプレイ画面上に表示される、前記項目のいずれかに記載のコントローラ。
（項目１０）
前記ディスプレイ画面は、タッチスクリーンを備える、項目９に記載のコントローラ。
（項目１１）
前記複数のコンテキスト適応ボタン制御の少なくとも一部は、前記ディスプレイ画面上に表示される、項目９に記載のコントローラ。
（項目１２）
複数のプログラマブルボタン制御をさらに備える、前記項目のいずれかに記載のコントローラ。
（項目１３）
複数の組み込まれるボタン制御をさらに備える、前記項目のいずれかに記載のコントローラ。
（項目１４）
前記デジタル医療画像のコンテキストを決定することは、前記コントローラに接続されるコンピューティングデバイス上に表示されている前記デジタル医療画像の撮像モダリティを決定することを含む、前記項目のいずれかに記載のコントローラ。
（項目１５）
可変直径を備えるスクロールホイールをさらに備える、前記項目のいずれかに記載のコントローラ。
（項目１６）
前記可変直径は、前記コンピューティングデバイスのディスプレイ上の前記乳房トモシンセシス画像のスライスを通したスクロールの速度を制御するように構成される、項目１５に記載のコントローラ。
（項目１７）
前記デジタル画像は、乳房トモシンセシス画像を備え、前記コントローラは、前記少なくとも１つのスクロールホイールのアクティブ化に基づいて、制御信号を提供し、前記コンピューティングデバイスのディスプレイ上の前記乳房トモシンセシス画像のスライスを通してスクロールするように構成される、項目１５に記載のコントローラ。
（項目１８）
前記デジタル画像は、乳房トモシンセシス画像を備え、前記コントローラは、第１の直径を伴う第１の位置における前記少なくとも１つのスクロールホイールのアクティブ化に基づいて、第１の速度の制御信号を提供し、第２の直径を伴う第２の位置における前記少なくとも１つのスクロールホイールのアクティブ化に基づいて、第２の速度の制御信号を提供し、前記コンピューティングデバイスのディスプレイ上の前記乳房トモシンセシス画像のスライスを通してスクロールするように構成される、項目１５に記載のコントローラ。
（項目１９）
前記コントローラの上部部分に配列される物理的スクロールホイールと、
容量タッチスクロールホイールと
をさらに備える、前記項目のいずれかに記載のコントローラ。
（項目２０）
複数のコンテキスト適応ボタン制御の少なくとも一部は、前記容量タッチスクロールホイールを備える、前記項目のいずれかに記載のコントローラ。
（項目２１）
前記複数のボタン制御の少なくとも一部は、少なくとも１つの機能群内に配列される、前記項目のいずれかに記載の保健医療情報コントローラ。
（項目２２）
前記少なくとも１つの機能群は、注釈、診断ツール、患者ナビゲーション、グローバル画像ツール、およびタクティカル画像ツールのうちの少なくとも１つを備える、項目２１に記載の保健医療情報コントローラ。
（項目２３）
保健医療情報システムであって、
前記項目１−２２のいずれかに記載のコントローラによって提供される制御信号を受信するように構成されるコンピューティングデバイスを備える、システム。
（項目２４）
保健医療情報を操作する方法であって、
複数のコンテキスト適応ボタン制御を介して、ユーザ入力を受信することであって、前記複数のコンテキスト適応ボタン制御はそれぞれ、デジタル画像を視認および操作するための少なくとも１つの機能と関連付けられている、こと
を含み、
コントローラは、
デジタル医療画像の少なくとも１つのコンテキストを決定することと、
前記決定されたコンテキストに基づいて、デジタル画像を視認および操作するための前記少なくとも１つの機能を変更することと
を行うように構成される、方法。